(57)【要約】【課題】プリンタ側でプリントデータのプリント条件を確認してからプリント処理を行なうことができるプリントシステムを提供する。【解決手段】画像処理システム１は、パソコンＰＣと、プリンタ３を備える。パソコンＰＣは印刷条件を含む印刷データを生成しプリンタ３へ送信する。プリンタ３は、記憶部３４Ａ、３４Ｂ、プリント処理部３３、操作入力部３２、表示部３１、制御部３０を備える。記憶部３４Ａは受信した印刷データを記憶し、記憶部３４Ｂは印刷条件に対応するアイコンデータＩＮを記憶する。プリント処理部３３は印刷データに基づきプリント処理を行なう。操作入力部３２は開始操作を受け付ける。制御部３０は受信した印刷データの印刷条件に対応するアイコンデータＩＮを記憶部３４Ｂから読み出して表示部３１に供給して表示させてから操作入力部３２の開始操作によりプリント処理部３３に記憶部３４Ａから印刷データ読み出して供給する。【選択図】図１
2009214393.tif 000002
【特許請求の範囲】
【請求項１】
プリント条件を含むプリントデータを生成しプリンタへ送信するデータ出力装置と、
前記データ出力装置から受信した前記プリントデータを記憶する第１記憶部と、前記プリントデータに基づいて用紙にプリント処理を行なうプリント処理部と、前記プリント処理の開始操作を受け付ける操作入力部と、前記プリント条件に対応する表示データが予め記憶されている第２記憶部と、前記表示データを表示する表示部と、前記受信した前記プリントデータの前記プリント条件に対応する前記表示データを前記第２記憶部から読み出して前記表示部に供給した後、前記操作入力部の開始操作に基づいて前記プリント処理部に前記第１記憶部から前記プリントデータを読み出して供給する制御部と、を有するプリンタと、
を備えているプリントシステム。
【請求項２】
前記第２記憶部は、複数のプリント条件のそれぞれに対応する複数の表示データを記憶しており、
前記制御部は、前記受信したプリントデータに含まれるプリント条件のうち少なくとも１つに対応した表示データを前記第２記憶部から読み出して前記表示部に供給する、
請求項１に記載のプリントシステム。
【請求項３】
プリント条件に対応する表示データが予め記憶された第３記憶部を有し、前記プリント条件を含むプリントデータを生成し、前記生成したプリントデータのプリント条件に対応する表示データとともに前記プリントデータをプリンタへ送信するデータ出力装置と、
前記データ出力装置から受信した前記表示データを記憶する第４記憶部と、前記データ出力装置から受信した前記プリントデータを記憶する第５記憶部と、前記プリントデータに基づいて用紙にプリント処理を行なうプリント処理部と、前記プリント処理の開始操作を受け付ける操作入力部と、前記表示データを表示する表示部と、前記表示データを前記第４記憶部から読み出して前記表示部に供給した後、前記操作入力部の開始操作に基づいて前記プリント処理部に前記第５記憶部から前記プリントデータを読み出して供給する制御部と、を有するプリンタと、
を備えているプリントシステム。
【請求項４】
前記第３記憶部は、複数のプリント条件のそれぞれに対応する複数の表示データを記憶しており、
前記データ出力装置は、前記プリントデータに含まれるプリント条件のうち少なくとも１つに対応した表示データを前記第３記憶部から読み出して前記プリントデータとともに前記プリンタへ送信する、
請求項３に記載のプリントシステム。
【請求項５】
前記プリント条件には、前記プリント処理を行なう用紙に対する加工情報が含まれる、
請求項１から４のいずれか１項に記載のプリントシステム。
【請求項６】
前記操作入力部は、前記プリント条件の変更操作をさらに受け付け、
前記制御部は、前記変更操作に基づいて前記第２記憶部または前記第４記億部に記憶されている前記表示データを読み出して前記表示部に供給する、
請求項１から５のいずれか１項に記載のプリントシステム。
【請求項７】
前記表示データは、アイコンデータである、
請求項１から６のいずれか１項に記載のプリントシステム。
【請求項８】
前記プリンタに送信される前記プリントデータには属性情報が含まれ、
前記制御部は、前記表示部に前記表示データとともに前記属性情報を表示させる、
請求項１から７のいずれか１項に記載のプリントシステム。
【発明の詳細な説明】
【技術分野】
【０００１】
この発明は、データ出力装置から送信されるプリントデータに基づいてプリント処理を行なうプリントシステムに関する。
【背景技術】
【０００２】
一般に、プリントシステムの中には、データ出力装置からネットワークを介して文書データ等の画像データをプリンタに応じたプリントデータに変換してプリンタに送信するものがある。
【０００３】
このようなプリントシステムの中には、入力されたデータをプリントデータに変換するとともに、プリントデータに入力されたデータのアドレス情報を挿入するものもある（例えば、特許文献１参照。）。
【特許文献１】特開２００７−２０００６７号公報
【発明の開示】
【発明が解決しようとする課題】
【０００４】
しかし、上記特許文献１に示すプリントシステムでは、プリンタ側でステープル処理の有無、製本印刷、割付印刷等のプリントデータのプリント条件をユーザが確認することができなかった。このため、プリンタ側でプリントデータのプリント条件を確認してからプリント処理を実行することができず、ミスプリントを効果的に防止することができないという問題があった。
【０００５】
本発明の目的は、プリンタ側でプリントデータのプリント条件を確認してからプリント処理を行なうことができるプリントシステムを提供することにある。
【課題を解決するための手段】
【０００６】
この発明のプリントシステムは、データ出力装置と、プリンタとを備えている。データ出力装置は、プリント条件を含むプリントデータを生成しプリンタへ送信する。プリンタは、第１記憶部と、プリント処理部と、操作入力部と、第２記憶部と、表示部と、制御部とを備えている。第１記憶部は、データ出力装置から受信したプリントデータを記憶する。プリント処理部は、プリントデータに基づいて用紙にプリント処理を行なう。操作入力部は、プリント処理の開始操作を受け付ける。第２記憶部は、プリント条件に対応する表示データが予め記憶されている。表示部は、表示データを表示する。制御部は、受信したプリントデータのプリント条件に対応する表示データを第２記憶部から読み出して表示部に供給した後、操作入力部の開始操作に基づいてプリント処理部に第１記憶部からプリントデータを読み出して供給する。
【０００７】
この構成では、データ出力装置から送信されたプリントデータのプリント条件に対応する表示データを表示させてからプリント処理を実行させる。このため、プリントデータのプリント条件をプリンタ側で確認してからプリント処理を実行させることができる。
【０００８】
なお、第２記憶部は複数のプリント条件のそれぞれに対応する複数の表示データを記憶しており、制御部は受信したプリントデータに含まれるプリント条件のうち少なくとも１つに対応した表示データを第２記憶部から読み出して表示部に供給するものとしても良い。これにより、プリントデータのプリント条件のすくなくとも１つに対応する表示データを表示させることができる。
【発明の効果】
【０００９】
この発明のプリントシステムによれば、プリントデータのプリント条件をプリンタ側で確認してからプリント処理を実行できる。このため、ミスプリントを防止することができる。
【発明を実施するための最良の形態】
【００１０】
図１は、この発明の第１実施形態に係るプリントシステムである画像処理システム１の全体構成を示すブロック図である。
【００１１】
画像処理システム１は、パソコン（データ出力装置）ＰＣと、プリンタ３とを備えている。
【００１２】
パソコンＰＣは、印刷データ（プリントデータ）をプリンタ３へ送信する。印刷データには、印刷条件として、例えば、ステープル処理や製本印刷等の有無等の用紙の加工情報、割付印刷の設定等の印刷情報、ファイル名や印刷データを作成したユーザ名等の属性情報が含まれている。
【００１３】
マウス４Ａおよびキーボード４ＢはインターフェースＩ／Ｆ４Ｃを介してパソコンＰＣ接続されており、ディスプレイ６はインターフェースＩ／Ｆ６Ａを介してパソコンＰＣに接続されている。
【００１４】
パソコンＰＣは、ＣＰＵ２１、ＲＯＭ２２、ＲＡＭ２３、ＨＤＤ２４等を備えている。
【００１５】
ＨＤＤ２４には、プリンタドライバプログラム１０Ｐ、アプリケーションプログラム１４Ｐが記憶されている。ＣＰＵ２１は、ＨＤＤ２４からプリンタドライバプログラム１０Ｐを読み出しＲＯＭ２２、ＲＡＭ２３を用いて演算処理しプリンタドライバ１０として各種の制御処理を実行する。ＣＰＵ２１は、アプリケーションプログラム１４Ｐについても同様にアプリケーション１４として各種の制御処理を実行する。なお、本実施形態では、プリンタドライバプログラム１０ＰがＨＤＤ２４に記憶されている例を挙げて説明している。しかし、本発明は、これに限定されるものではない。例えば、ＲＯＭ等の他の記憶デバイスにプリンタドライバプログラム１０Ｐが記憶されていても良い。また、例えば、プリンタドライバ１０をマイコンとして形成しても良い。
【００１６】
プリンタドライバ１０は、アプリケーション１４によって作成された文書データに基づいて印刷データを作成し、インターフェースＩ／Ｆ３Ａを介してプリンタ３へ出力する。プリンタドライバ１０は、記憶部１１を備えている。記憶部１１は、アプリケーション１４から送信される文書データを記憶する。
【００１７】
記憶部１１には、印刷条件の初期設定が記憶されており、プリンタドライバ１０が起動されると初期設定に基づいて印刷条件が設定される。
【００１８】
プリンタドライバ１０は、初期設定が入力された印刷条件の設定画面をディスプレイ６に表示させる。プリンタドライバ１０は、マウス４Ａやキーボード４Ｂを介して設定画面に表示された設定内容について変更操作が行なわれた場合には、変更操作に基づいて印刷条件の表示を変更する。プリンタドライバ１０は、マウス４Ａやキーボード４Ｂを介してユーザが行なう印刷条件の設定画面への入力操作が完了すると、文書データに基づく印刷データを作成して記憶部１１に記憶させる。印刷データは、ＰＤＬ（Page  Description  Language）形式のデータである。なお、ＰＤＬ形式のデータの代わりにＸＰＳ（XML  Paper  Specification）形式のデータを印刷データとして用いても良いし、その他の形式の印刷データを用いても良い。
【００１９】
プリンタドライバ１０は、印刷データをインターフェースＩ／Ｆ３Ａを介してプリンタ３へ送信する。
【００２０】
本実施形態では、プリンタドライバ１０は、設定画面をディスプレイ６に表示させる例を挙げて説明している。しかし、本発明は、これに限定されるものではない。例えば、プリンタ３側でのみ印刷条件の変更を行なう場合には、ディスプレイ６に設定画面を表示させなくても良い。
【００２１】
プリンタ３は、プリンタドライバ１０から送信された印刷データに基づいて用紙に印刷処理を行なう。プリンタ３は、制御部３０、表示部３１、操作入力部３２、プリント処理部３３、記憶部（第１記憶部）３４Ａ、記憶部（第２記憶部）３４Ｂ、給紙トレイ、排紙トレイ等を備えている。
【００２２】
記憶部３４Ａは、受信した印刷データを記憶する。記憶部３４Ｂは、各印刷条件の設定を示すアイコンデータ（表示データ）ＩＮが記憶する。
【００２３】
プリント処理部３３は、印刷データに基づいて給紙トレイから繰り出された用紙にプリント処理を行なって排紙トレイにプリント処理された用紙を搬送する。
【００２４】
操作入力部３２は、プリント処理部３３におけるプリント処理の開始操作を受け付ける。
【００２５】
制御部３０は、プリント処理部３３、操作入力部３２、表示部３１を制御する。制御部３０は、記憶部３４Ｂから印刷データの印刷条件を表すアイコンデータＩＮを読み出して画像データを合成して表示部３１に供給する。制御部３０は、画像データを表示部３１に供給した後、操作入力部３２の開始操作に基づいて印刷データを記憶部３４Ａから読み出してプリント処理部３３に供給する。制御部３０は、操作入力部３２から印刷条件を変更する操作が行なわれると、記憶部３４Ｂに記憶されているアイコンデータＩＮを基にして画像データを合成し表示部３１に表示される画像データを変更する。
【００２６】
本実施形態では、プリンタ３は、操作入力部３２を備え、印刷条件の変更操作を行なう例を挙げて説明している。しかし、本発明は、これに限定されるものではない。
【００２７】
例えば、プリンタ３の仕様が変更操作を行なわずに印刷条件を確認するだけの場合には、変更操作を受け付ける操作入力部３２の代わりに、プリント処理部３３に印刷処理の開始のみを指示する操作入力部を用いても良い。
【００２８】
図２および図３は、プリンタドライバ１０がディスプレイ６に表示させる印刷条件の設定画面である。
【００２９】
図２は、印刷条件を設定する「メイン」画面であり、主に両面印刷等の設定や仕上げ加工の設定を行なう画面である。図３は、用紙のサイズや給紙方法等を設定する「用紙」画面である。図２、３に示す画面の切り替えは、画面左上に凸状に表示されているタブ部分を図示しないカーソルでクリックして行なう。カーソルの移動は、マウス４Ａによって行なうことができる。
【００３０】
両画面は、画面上部に共通して表示されるユーザ設定領域２１０と、両画面の切り替えに伴って表示される印刷設定表示領域２２０、２４０と、がそれぞれ表示される。
【００３１】
ユーザ設定領域２１０には、印刷設定登録部２１１、保存ボタン２１２が表示されている。印刷設定登録部２１１は、印刷設定表示領域２２０、２４０で表示されている印刷条件の登録名を表示する部分である。ここでは、「初期設定」が表示されている。なお、初期設定から印刷条件を変更した場合に、保存ボタン２１２をクリックすることで表示されている内容の印刷条件に特定の名前をつけて保存しておくことができる。例えば、変更した印刷条件の登録名を「打ち合わせ用設定」、「個人用設定」といった登録名で保存することができる。複数の印刷条件が保存されている場合には、印刷設定登録部２１１の右側部分に表示されている黒色三角マークをカーソルでクリックすると登録名の一覧がリスト表示され一覧から所望の印刷所件を選択することができる。なお、以下の各表示部のうち右側に黒色三角マークが表示されている場合には、同様に黒色三角マークをクリックして各設定をリスト表示させて選択することができる。
【００３２】
図２に示す印刷設定表示領域２２０は、以下の印刷設定を行なう画面である。
【００３３】
部数切り替え表示部２２１は、画面左上に表示された「メイン」タブの下に配置されており、印刷部数を設定する部分である。部数切り替え表示部２２１の右側部分に表示された黒色三角マークをカーソルでクリックして部数を変更することができる。
【００３４】
部単位切り替え表示部２２３は、部数切り替え表示部２２１の下に表示されており、用紙への印刷処理を部単位で行なうか否かをカーソルでクリックして切り替える部分である。部単位で印刷する場合には、部単位切り替え表示部２２３をカーソルでクリックして「×」印を表示させる。
【００３５】
縮小印刷設定部２２６は、部数切り替え表示部２２１の右側に表示されており、用紙１枚あたりに印刷する文書データのページ数を設定する部分である。ここで、「1-ＵＰ」は、用紙１枚当たりに印刷する文書データのページ数が１枚であることを示している。例えば、「２-ＵＰ」と表示されている場合には用紙１枚当たりに印刷する文書データのページ数が２枚であることを示している。
【００３６】
印刷選択領域２２４は、片面印刷、両面印刷、中綴じ印刷のいずれかを設定する部分である。なお、両面印刷は、印刷方向を用紙の長手方向とする縦綴じと、長手方向ではない方向とする横綴じの２種類から選択する。印刷選択領域２２４の左側に配置されている白抜き丸印をカーソルでクリックして黒色丸印に表示を変更させることで択一的に設定する。
【００３７】
製本印刷設定部２２５は、印刷選択領域２２４の下部に表示されており、製本印刷選択時の詳細設定、例えば、印刷の倍率を変更する部分である。
【００３８】
仕上げ加工設定領域２２７は、印刷処理後に行なう用紙への後処理加工を設定する部分である。仕上げ加工設定領域２２７の上部に綴じ位置設定部２２８が表示され、その下にステープル設定部２２９、孔あけ加工設定部２３０がこの順に表示されている。
【００３９】
図３に示す印刷設定表示領域２４０は、以下の印刷設定を行なう画面である。
【００４０】
用紙サイズ表示部２４１は、画面左上に表示された「用紙」タブの下に配置されており、印刷する用紙のサイズを設定する部分である。
【００４１】
フィットページ用紙サイズ表示部２４２は、印刷する用紙サイズを変更して印刷する設定を行なう部分である。用紙サイズ表示部２４４は、フィットページ用紙サイズ表示部２４２の下部に表示されている。フィットページ用紙サイズ選択部２４３に「×」印が表示され、有効になっているときに用紙サイズ表示部２４４に表示されている用紙サイズにフィットするように予め設定されている倍率で拡大／縮小して印刷処理の設定が行なわれる。
【００４２】
給紙方法設定部２４６は、用紙サイズ表示部２４１の右側に表示され、給紙方法を設定する部分である。初期設定では、「自動給紙」が選択されている。
【００４３】
給紙トレイ選択部２４７は、給紙方法設定部２４６の下部に表示されており、初期設定では「手差し」トレイが選択されている。
【００４４】
印刷方向選択部２４５は、フィットページ用紙サイズ表示部２４２の下に表示されており、印刷方向が縦向きであるか横向きであるかを選択する部分である。排出トレイ選択部２４８は、印刷方向選択部２４５の右側に表示されており排出トレイを選択する部分である。
【００４５】
Ｏ.Ｋ.ボタン表示部２３１およびキャンセルボタン表示部２３２は、印刷設定表示領域２２０、２４０の画面右下に共通して表示される。
【００４６】
Ｏ.Ｋ.ボタン表示部２３１をカーソルでクリックすると印刷条件の設定が完了し、印刷設定表示領域２２０、２４０に表示されている印刷条件で印刷データが生成されるとともに、設定画面の表示が終了する。なお、本発明はこれに限定されるものではない。例えば、本発明をＷＩＮＤＯＷＳ（登録商標）の操作環境下で使用する場合には、Ｏ.Ｋ.ボタン表示部をクリックしてアプリケーションの印刷設定画面に戻り、印刷設定画面で印刷を実行するボタンをクリックすることで印刷データを生成するものとしても良い。
【００４７】
一方、キャンセルボタン表示部２３２をカーソルでクリックすると、印刷データを生成することなく設定画面の表示が終了する。
【００４８】
図４は、記憶部３４Ｂに記憶されているアイコンデータＩＮを基に表示部３１に表示される画像データの例を示すものである。
【００４９】
（Ａ）は、印刷条件が初期設定であることを示す画像データである。用紙アイコンＩＮ１の上部に「Ｐａｇｅ  1」と表示されるページアイコンＩＮ２を合成して作成されている。
【００５０】
（Ｂ）は、初期設定からステープル設定部２２９の設定だけを「なし」から「あり」に変更したことを示す画像データである。すなわち、ステープル針で用紙の左上を綴じることを示す画像データである。なお、印刷範囲を示す破線も表示される。用紙アイコンＩＮ１、ページアイコンＩＮ２、ステープルアイコンＩＮ３、印刷範囲アイコンＩＮ４を組み合わせて合成されている。ステープルアイコンＩＮ３は左上端部に配置されており、印刷範囲アイコンＩＮ４は用紙アイコンＩＮ１の縁に沿って印刷範囲を破線で示すアイコンである。
【００５１】
（Ｃ）は、（Ｂ）に示す設定からさらに綴じ位置設定部２２８を「左」から「右」に変更したことを示す画像データである。すなわち、ステープル針で用紙の右上を綴じることを示す画像データである。（Ｂ）に示す画像データからステープルアイコンＩＮ３の代わりに、用紙アイコンＩＮ１の右上端部に配置されたステープルアイコンＩＮ５を用いて合成した画像データである。
【００５２】
（Ｄ）は、初期設定から孔あけ加工設定部２３０を選択して「×」印を表示させ、孔あけ加工を用紙の左端部に行なうことを示す画像データである。（Ｂ）に示す画像データにおいて、ステープルアイコンＩＮ３の代わりに、パンチ孔アイコンＩＮ６を用紙アイコンＩＮ１の左端部に２つ配置して各アイコンデータＩＮを合成した画像データである。
【００５３】
（Ｅ）は、縮小印刷設定部２２６を「１-Ｕｐ」から「２-Ｕｐ」に変更したときに表示される画像データである。すなわち、用紙１枚あたりに２ページ分の文書データを印刷する割付印刷を行なうことを示す画像データである。なお、印刷方向選択部２４５が「横」に設定変更される。用紙アイコンＩＮ１の長手方向を横向きに表示し、その中に印刷範囲アイコンＩＮ４の破線枠を左右に均等の大きさで２つ表示している。さらに、左側の印刷範囲アイコンＩＮ４の中にはページアイコンＩＮ２が配置されており、右側の印刷範囲アイコンＩＮ４の中にはページアイコンＩＮ８が配置されている。ページアイコンＩＮ８は、「Ｐａｇｅ  ２」と表示されるページアイコンである。
【００５４】
（Ｆ）は、印刷選択領域２２４において、「中とじ印刷」が選択されていることを示す画像データである。すなわち、製本印刷が選択されていることを示す画像データである。（Ｆ）に示す画像データは、ページアイコンＩＮ２、印刷範囲アイコンＩＮ４、製本アイコンＩＮ１１を組み合わせて合成されている。
【００５５】
（Ｇ）は、給紙トレイ選択部２４７を「手差し」トレイから「タブ付き」トレイへ初期設定から変更したときに表示される画像データである。（Ｇ）に示す画像データは、ページアイコンＩＮ２、印刷範囲アイコンＩＮ４、タブ付き用紙アイコンＩＮ１２、を組み合わせて合成されている。
【００５６】
なお、プリンタドライバ１０がアイコンデータＩＮを基に合成する画像データは図４に示すものに限られない。プリンタドライバ１０は、各印刷条件の特徴を示すアイコンデータＩＮを適宜組み合わせて各印刷条件に応じた画像データを合成する。また、プリンタの仕様に応じて各印刷条件のうち特に画像データとし表示させたい印刷条件を適宜選択した上で画像データを合成するものとしても良い。
【００５７】
プリンタドライバ１０は、複数の用紙に印刷を行なう場合には、図４に示す画像データ以外に、図５に示す画像データを用いても良い。
【００５８】
図５（Ａ）は、印刷する用紙が複数枚であることを示す画像データである。左から右に「Ｐａｇｅ  1」、「Ｐａｇｅ  ２」と表示することで、文書データの印刷順序が１ページ目から順に印刷されることを示している。なお、図５（Ａ）に示す画像データは、用紙アイコンＩＮ１の上部にページアイコンＩＮ２を配置した画像と、用紙アイコンＩＮ１の上部にページアイコンＩＮ８を配置した画像とを左右に並べて配置して合成した画像データである。
【００５９】
なお、図５（Ａ）に示す画像データを左から右に「Ｐａｇｅ  ２」、「Ｐａｇｅ  １」と表示することで文書データの最終ページから印刷することを示すこともできる。
【００６０】
図５（Ｂ）は、部数切り替え表示部２２１が「１」から「２」以上に初期設定から変更されていることを示す画像データである。図５（Ｂ）に示す画像データは、ページアイコンＩＮ２と印刷範囲アイコンＩＮ４と複数用紙アイコンＩＮ１３とを組み合わせて合成している。
【００６１】
なお、図５（Ａ）に示す画像データの左側の用紙アイコンＩＮ１にステープルアイコンＩＮ３やパンチ孔アイコンＩＮ６をさらに組み合わせて画像データを表示させても良い。これにより、ステープル処理や、孔あけ加工を示す画像を表示させることができる。また、印刷順序の最初のページを示す画像にのみで用紙のステープル処理等の後処理を示す画像を表示させることも考えられる。
【００６２】
このように、印刷条件を示すアイコンデータＩＮを基にした画像データを表示することで、例えば、印刷条件をテキスト表示する場合と比較して、ユーザが印刷条件を一目で確認することができるという効果を得ることができる。
【００６３】
図６は、プリンタドライバ１０における文書データに基づく印刷データ作成の流れを示すフローチャートである。
【００６４】
プリンタドライバ１０は、アプリケーション１４から文書データを受信すると文書データを記憶部１１に記憶させるとともに、図２および図３に示す印刷条件の設定画面をディスプレイ６に表示させる（Ｓ１）。さらに、Ｏ.Ｋ.ボタン表示部２３１がクリックされて印刷条件の設定が完了すると（Ｓ２）、受信データを基にして印刷データを作成し記憶部１１に記憶させる（Ｓ３）。これにより、印刷条件を適宜設定してしてから印刷データを作成することができる。なお、Ｓ２において、プリンタドライバ１０はキャンセルボタン表示部２３２がクリックされると印刷データを作成することなく一連の処理を終了する。さらに、プリンタドライバ１０は、プリンタ３へ印刷データを送信する（Ｓ４）。これにより、印刷データとともに印刷条件を示す画像データをプリンタ３へ送信することができる。
【００６５】
図７は、印刷データを受信したときのプリンタ３における印刷処理の流れを示すフローチャートである。
【００６６】
制御部３０は、印刷データを受信すると（Ｓ１１）、印刷データから印刷条件を読み出して対応するアイコンデータＩＮを基に画像データを表示部３１に表示させる（Ｓ１２）。これにより、印刷条件を確認することができる。制御部３０は、操作入力部３２から印刷条件を変更する操作入力の有無を確認して（Ｓ１３）、変更操作の入力があった場合には表示部３１に表示されている画像データを操作入力後の印刷データに対応する画像データに変更する（Ｓ１５）。これにより、印刷条件が変更されたことを確認することができる。
【００６７】
制御部３０は、操作入力部３２から印刷開始を指示する入力信号を受信すると、プリント処理部３３に印刷処理（いわゆるホールドプリント）を実行させる（Ｓ１４）。これにより、ユーザが印刷条件を確認してから印刷処理を実行させることができる。このため、ミスプリントを防止することができる。
【００６８】
上記実施形態では、Ｓ１２、１５において、画像データを表示する例を挙げて説明した。しかし、本発明はこれに限定されるものではない。例えば、Ｓ１２、１５において、印刷データのファイル名や印刷データを作成したユーザ名、または、印刷データを作成したパソコンＰＣのＩＰアドレス等の属性データも表示するようにしても良い。これにより、複数のユーザがプリンタ３を使用する場合や、複数のパソコンＰＣがプリンタ３にネットワークを介して接続されている場合にも、個々のユーザが必要な印刷データを他の印刷データと見分けることができる。
【００６９】
上記実施形態では、表示データとしてアイコンデータＩＮを用いる例を挙げて説明した。しかし、本発明はこれに限定されるものではない。例えば、アイコンデータＩＮの代わりにテキストデータを表示データとして用いても良い。より具体的には、プリンタ３の記憶部３４Ｂに記憶されたアイコンデータＩＮと対応するテキストデータをプリンタドライバ１０の記憶部１１に記憶させ、印刷データとともにテキストデータをプリンタ３へ送信するものとしても良い。プリンタ３の制御部３０が受信したテキストデータを基にアイコンデータＩＮを読み出して画像データを合成する。これにより、上記実施形態に係る画像処理システム１と同様に効果を得ることができる。
【００７０】
上記実施形態では、制御部３０が記憶部３４に記憶されたアイコンデータＩＮを基に画像データを作成する例を挙げて説明した。しかし、本発明は、これに限定されるものではない。例えば、記憶部３４に全ての印刷条件の組み合わせを示すアイコンデータを記憶させる。そして、制御部３０は、印刷データの印刷条件を表すアイコンデータを読み出して表示部３１にアイコンデータをそのまま表示させる。この場合にも上記実施形態に係る画像処理システム１と同様の効果を得ることができる。
【００７１】
上記実施形態では、制御部３０は複数のアイコンデータＩＮを基に画像データを作成する例を挙げて説明した。しかし、本発明は、これに限定されるものではない。例えば、プリンタの仕様に応じてプリンタに表示する画像データには印刷条件が少なくとも１つ含まれていれば良い。この場合にも上記実施形態に係る画像処理システム１と同様の効果を得ることができる。
【００７２】
上記第１実施形態では、Ｓ１２において、制御部３０がアイコンデータＩＮを基に画像データを合成して表示部３１に表示する例を挙げて説明している。しかし、本発明はこれに限定されるものではない。例えば、記憶部１１にアイコンデータＩＮを予め記憶させておくことも考えられる。この場合の第２実施形態の構成について上記第１実施形態と異なる構成について説明すると以下の通りである。なお、記憶部１１は第３記億部に相当し、記憶部３４Ｂは第４記億部に相当し、記憶部３４Ａは第５記憶部に相当する。
【００７３】
Ｓ３、４では、プリンタドライバ１０は印刷データを作成するとともに、印刷データの印刷条件に対応するアイコンデータＩＮを記憶部１１から読み出して画像データを作成する。そして、プリンタ３へ印刷データとともに送信する。
【００７４】
Ｓ１１では、記憶部３４Ａは受信した印刷データを記憶する。記憶部３４Ｂは受信した画像データを記憶する。
【００７５】
Ｓ１２では、制御部３０は、記憶部３４Ｂから受信した画像データを読み出して表示部３１に供給して表示させる。なお、制御部３０は、操作入力部３２から印刷条件を変更する操作が行なわれると、パソコンＰＣと通信しプリンタドライバ１０が変更された印刷条件を基に画像データを作成し制御部３０へ送信させる（Ｓ１５）。
【００７６】
なお、第２実施形態において、プリンタドライバ１０が作成する画像データには印刷データの印刷条件が少なくとも１つ含まれていれば良い。これにより、上記第１実施形態に係る画像処理システム１と同様の効果を得ることができる。
【００７７】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００７８】
【図１】この発明の一実施形態に係るプリントシステム全体の構成を示すブロック図である。
【図２】印刷条件を設定するメイン画面を示す図である。
【図３】印刷条件を設定する用紙画面を示す図である。
【図４】（Ａ）〜（Ｇ）は、記憶部に記憶されているアイコンデータの例を示す図である。
【図５】（Ａ）、（Ｂ）は、印刷枚数が複数枚であることを示すアイコンデータの例を示す図である。
【図６】プリンタドライバにおける印刷データ作成の流れを示すフローチャートである。
【図７】プリンタにおける印刷データ受信時の印刷処理の流れを示すフローチャートである。
【符号の説明】
【００７９】
１    画像処理システム（プリントシステム）
３    プリンタ
３０  制御部
３１  表示部
３２  操作入力部
３３  プリント処理部
３４Ａ  記憶部（第１記憶部）
３４Ｂ  記憶部（第２記憶部）
ＰＣ  パソコン（データ出力装置）
【図１】
2009214393.tif 000003
【図２】
2009214393.tif 000004
【図３】
2009214393.tif 000005
【図４】
2009214393.tif 000006
【図５】
2009214393.tif 000007
【図６】
2009214393.tif 000008
【図７】
2009214393.tif 000009